(57)【要約】【課題】ユーザーがカメラ付き携帯電話等で撮った画像をサービス会社のサーバーに送信すると、サーバー側がユーザーの指示に基づいて所望の形態に加工してユーザーに印刷勿等の形で送り返すサービスを可能とする。【解決手段】ユーザーは、サービス会社によって用意された種々の形態の画像加工サンプルの中から任意の画像加工サンプルを指定してインターネットを通じてカメラ付き携帯電話等で撮った画像データをサービス会社のサーバーの所定のアドレスに送信する。サービス会社のサーバー側は、受信したユーザーの画像データをユーザーの指定した画像加工サンプルに応じて加工し加工画像を生成する。更にサービス会社は、サーバー側で作成した加工画像を印刷し、あるいは画像記録メディアに記録しユーザーに配送する。【選択図】図１
2004179827.tif 000002
【特許請求の範囲】
【請求項１】
サービス会社によって用意された種々の画像加工サンプルの中から任意の画像加工サンプルを指定してインターネットを通じて画像データをサービス会社のサーバーの所定のアドレスに送信するユーザーによる画像送信プロセスと、受信したユーザーの画像データをユーザーの指定した画像加工サンプルに応じてサーバーに格納された画像加工コンピュータプログラムにより加工し加工画像を形成するサーバー側による加工画像作成プロセスと、前記加工画像を印刷し、あるいは画像記録メディアに記録しユーザーに配送する加工画像配送プロセスとから成ることを特徴とする加工画像配信方法。
【請求項２】
前記画像加工サンプルがサービス会社のサーバーに構築されたホームページに格納されていることを特徴とする「請求項１」に記載の加工画像配信方法。
【請求項３】
前記サーバー側に加工用画像を用意し、この加工用画像とユーザーの画像とを合成して加工画像を作成するようにしたことを特徴とする「請求項１」又は「請求項２」に記載の加工画像配信方法。
【請求項４】
サービス会社によって用意された種々の画像加工サンプルの中から任意の画像加工サンプルを指定してインターネットを通じて画像データをサービス会社のサーバーの所定のアドレスに送信するユーザーによる画像送信プロセスと、受信したユーザーの画像データをユーザーの指定した画像加工サンプルに応じてサーバーに格納された画像加工コンピュータプログラムにより加工し加工画像を形成するサーバー側による加工画像作成プロセスと、前記加工画像のデータをユーザーのインターネット端末の機種に応じてデータ変換し該加工画像をユーザーのインターネット端末にダウンロード可能とするようにしたサーバー側による加工画像データ変換プロセスとを備えたことを特徴とする加工画像配信方法。
【請求項５】
前記加工画像作成プロセスはユーザーから送信された画像の背景を抜く処理を含み、この背景を抜いた画像を用いて加工画像を生成するようにしたことを特徴とする「請求項１」又は「請求項２」又は「請求項３」又は「請求項４」に記載の加工画像配信方法。
【請求項６】
前記加工画像作成プロセスはユーザーから送信された画像と加工用画像とのサイズを一致させるサイズ加工処理を含み、サイズを一致させたユーザーの画像と加工用画像を用いて加工画像を生成するようにしたことを特徴とする「請求項１」又は「請求項２」又は「請求項３」又は「請求項４」又は「請求項５」に記載の加工画像配信方法。
【発明の詳細な説明】
【０００１】
【発明の属する技術分野】
本発明はインターネット対応のカメラ付き携帯電話等でサービス会社のサーバーに自分の写真や子供の写真を送信すると、サーバー側に用意された好きなタレントや、好みのシーンの加工用画像と合成された加工画像が送り返されてくるようにした加工画像配信方法に関する。
【０００２】
【従来の技術】
従来は、写真フイルムやデジタル画像データを写真現像店に持ち込み、あるいは、インターネットでデジタル画像データを出力会社に送信することで、写真をプリントしている。
【０００３】
【発明が解決しようとする課題】
しかるにデジタルカメラ等で撮った画像データを、タレントとのツーショット画面や、好きなシーンを背景とする合成写真等にリアルタイムに加工して、携帯電話の待ち受け画面やポスターとして出力されるサービスは現在行われていない。
本発明は、このようなサービスを提供することを目的とするものである。
【０００４】
【課題を解決するための手段】
上記目的を達成するため、本発明は、サービス会社によって用意された種々の画像加工サンプルの中から任意の画像加工サンプルを指定してインターネットを通じて画像データをサービス会社のサーバーの所定のアドレスに送信するユーザーによる画像送信プロセスと、受信したユーザーの画像データをユーザーの指定した画像加工サンプルに応じてサーバーに格納された画像加工コンピュータプログラムにより加工し加工画像を形成するサーバー側による加工画像作成プロセスと、前記加工画像を印刷し、あるいは画像記録メディアに記録しユーザーに配送する加工画像配送プロセスとから成るものである。
また本発明は、前記画像加工サンプルがサービス会社のサーバーに構築されたホームページに格納されていることを特徴とするものである。
また本発明は、前記サーバー側に加工用画像を用意し、この加工用画像とユーザーの画像とを合成して加工画像を作成するようにしたものである。
また本発明は、サービス会社によって用意された種々の画像加工サンプルの中から任意の画像加工サンプルを指定してインターネットを通じて画像データをサービス会社のサーバーの所定のアドレスに送信するユーザーによる画像送信プロセスと、受信したユーザーの画像データをユーザーの指定した画像加工サンプルに応じてサーバーに格納された画像加工コンピュータプログラムにより加工し加工画像を形成するサーバー側による加工画像作成プロセスと、前記加工画像のデータをユーザーのインターネット端末の機種に応じてデータ変換し該加工画像をユーザーのインターネット端末にダウンロード可能とするようにしたサーバー側による加工画像データ変換プロセスとを備えたものである。
また本発明は、前記加工画像作成プロセスはユーザーから送信された画像の背景を抜く処理を含み、この背景を抜いた画像を用いて加工画像を生成するようにしたものである。
また本発明は、前記加工画像作成プロセスはユーザーから送信された画像と加工用画像とのサイズを一致させるサイズ加工処理を含み、サイズを一致させたユーザーの画像と加工用画像を用いて加工画像を生成するようにしたものである。
【０００５】
【発明の実施の形態】
以下に本発明の構成を添付した図面を参照して詳細に説明する。
図１は、本方式の概略の構成を示している。インターネットに接続する、本方式を主催するサービス会社のサーバー２には、プログラムにより構成される画像加工処理部４と、データ変換処理部６が格納されている。
【０００６】
画像加工処理部４は、図６に示すように、制御部１３により制御される、画像加工部１４、背景抜き処理部１６、サイズ加工部１８、出力部２０とから構成されている。画像加工処理部４は、電子メールの添付ファイルなどの形式で、カメラ付き携帯電話などのユーザーのインターネット端末８からサーバー２に送信された画像データを、サーバー２のデータベース１０中のオリジナルデータベース１０Ａに予め格納されているタレントやアニメキャラクターあるいは風景などの加工用画像１２と合成処理したり、あるいは、ユーザーのインターネット端末８から送信された複数の画像データの合成等の加工を行い、出力部２０からプリンター、ＣＤ−ＲＯＭドライブその他のドライブ出力装置２１に出力するように構成されている。
【０００７】
出力装置２１から出力された印刷物又はＣＤなどのメディア等の製品２３はユーザーに配送される。データ変換処理部６は、図７に示すように、制御部３６により制御されるデータ変換部２２、ダウンロード処理部２４、データベース解析制御部２６とから構成され、制御部３６は、データベース１０、ＰＣ用画像出力部２８、ｉ−ｍｏｄｅ（ＮＴＴドコモの登録商標）用画像出力部３０、Ｊ−ｓｋｙ用画像出力部３２、ＥＺ−Ｗｅｂ用画像出力部３４に接続している。データ変換処理部６は、ユーザーから送信された画像に基づいて作成した加工画像データをユーザーのインターネット端末の機種に対応したデータ形式にデータ変換し、このデータ変換した加工画像を、ユーザーが自分のインターネット端末で閲覧できるとともにダウンロード可能な形として出力するように構成されている。
【０００８】
本方式では、ユーザーの携帯電話に付属するカメラや、デジタルカメラ、スキャナなどによって作成され、インターネット端末８によりサーバー２に送信された画像データは、サーバー２のデータベース１０のオリジナルデータベース１０Ａに、データベース化されて格納されるように構成されている。
次に、ユーザーがカメラ付き携帯電話のカメラやデジタルカメラで撮った画像を携帯電話やパソコンを通じてサービス会社のサーバーに送ると、この画像が所望の画像に加工されて、印刷やＣＤ−ＲＯＭ等のメディアとしてユーザーに配送され、あるいは、この加工画像がユーザーのインターネット端末に待ち受け画面等として送り返される動作について説明する。
【０００９】
会員登録されているユーザーがサービス会社のサイトにインターネット端末８を通じてアクセスすると、図４に示すように、ホームページに加工の形態を選択するための、複数のサンプル表示画面３８が表れる。サンプル１をクリックすると、次にサンプル画面４０が表れる。このサンプル画面４０は、ユーザーから送られる任意の画像がフレーム４２の中に収まった画像に加工されることを示している。サーバー２のホームページには、その他に、種々の形態のサンプル例えば、外国の風景の中のタレントとのツーショットの合成写真、アニメキャラクタとの合成写真等が多数用意され、これらのサンプルに対応して多数の加工用画像１２が用意されている。
【００１０】
ユーザーがサンプル１を選択し、サンプル画面４０の決定ボタン４４を押すと、次に電子メールの入力画面４６が表れる。この入力画面４６には、サンプル１に対応するメールアドレスが予め入力されている。ユーザーは電子メールの入力画面４６の情報記入欄に所要の情報を入力し、画像データ４８を添付して、サーバー２のメールサーバー５０に送信する。メールサーバー５０に送られてきたユーザーの画像データ４８は、オリジナルデータベース１０Ａに一時保存される。
次に、オリジナルデータベース１０Ａのユーザーの送信した画像データ４８は、画像加工処理部４の背景抜き処理部１６により、写真中の人物の背景が除去される。
【００１１】
次に、サイズ加工部１８により、送信画像と加工用画像のサイズを一致させる。この場合図５（Ａ）に示すように、送信した画像４８の中心と、加工用画像１２の中心とを合わせ、送信画像４８と加工用画像１２の余った部分を切り取り、送信画像４８のサイズと加工用画像１２のサイズとを合わせる方法があるが、この方法は、加工用画像１２と送信画像４８の両方が切り取られるため、好ましくない。
【００１２】
そこで本実施形態では、図５（Ｂ）に示すように、加工用画像１２を基準として、送信した画像４８を拡大（又は縮小）して送信した画像４８を加工用画像１２に合わせ、送信画像４８の余った部分を切り取り、送信画像４８のサイズを加工用画像１２に合わせるようにしている。勿論、加工用画像１２の方を送信画像４８に合わせるようにしてもよい。このように、送信画像と加工用画像のサイズを一致させるのは、両者の合成をスムーズに行うことができるようにするためである。
【００１３】
次に、画像加工部１４は、ユーザーの送信画像４８と加工画像１２とを合成その他、サンプル１に対応する画像加工処理５２を行い、ユーザーの選択したサンプルに対応した加工画像５４を作成する。加工画像５４は、ユーザーの、電子メールの情報記入欄に記入された配送指示に従い、出力部２０からプリンターあるいはＣＤ−ＲＯＭ、ＭＯドライブ等の出力装置２１に送られて、プリントあるいは各種メディアへの記録が行われ、印刷物あるいは画像記録済みメディアの形で製品２３としてユーザーに配送される。
【００１４】
次に、ユーザーが加工画像データ５４をホームページ上で閲覧したり、あるいは、自分の携帯電話に待ち受け画面としてダウンロードできるように、加工画像データを各種インターネット端末の各機種に対応するデータに変換するデータ変換処理部の動作について説明する。
図３において、１０Ｂはデータベース１０に格納されたブラウザデータベースであり、パーソナルコンピュータ用ブラウザ、ｉ−ｍｏｄｅ（ＮＴＴドコモの登録商標）携帯電話用ブラウザ、Ｊ−ｓｋｙ用ブラウザ、ＥＺ−Ｗｅｂ用ブラウザなどの各種のブラウザ情報が登録されている。
【００１５】
図３において、サーバー２に、パーソナルコンピュータ、各種インターネット対応携帯電話などのインターネット端末８から、インターネットを通じて、サービス会社のホームページへのアクセスがあると、インターネット端末８側のブラウザ情報がサーバー２に提供され、これに基づいて、図７に示すデータベース解析制御部２６は、インターネット端末８側から要求されたデータがどの機種に対応するものであるか確認する（処理５６）。
【００１６】
次に、データベース解析制御部２６は、インターネット端末８側から要求されたデータがパーソナルコンピュータ用のものであるか否か判断し（処理５８）、肯定を判断すると、オリジナルデータベース１０Ａから、予め格納されているユーザーの加工画像データ５４をパーソナルコンピュータ用の出力部２８に出力する（処理６０）。これにより、パーソナルコンピュータによって閲覧可能なホームページの画面が形成され、パーソナルコンピュータを使用したユーザーは、インターネットを通じて、ユーザーの加工画像５４のホームページの閲覧が可能になる。
【００１７】
尚、オリジナルデータベース１０Ａ内の加工画像データがパーソナルコンピュータ用のブラウザに対応できない場合には、この画像データは、データ変換部２２によってフォーマット変換され、ＰＣ用画像出力部２８に出力される。処理５８で否定を判断した場合には、データベース解析制御部２６は、ブラウザデータベース１０Ｂから、インターネット端末８の機種情報を呼び出し、この機種情報に基づいて、データ変換部２２を制御する。
【００１８】
データ変換部２２は、この機種情報に基づいて、オリジナルデータベース１０Ａに格納されている加工画像データの色データ交換（処理６２）、加工画像データのサイズの縮小（処理６４）、加工画像データのフォーマット変換（処理６６）、必要ならば、セピア、ネガ、反転、モザイクなどの機種情報に応じたデータ変換を行い（処理６８）、これらのデータ変換処理を経たオリジナルデータベース１０Ａの加工画像データを対応する出力部３０又は３２又は３４に出力する（処理７０）。
【００１９】
これにより、例えば、ｉ−ｍｏｄｅ（ＮＴＴドコモの登録商標）の携帯電話で加工画像閲覧のホームページにアクセスした場合、出力部３０を通じて、加工画像の閲覧が可能となる。同様に、Ｊ−ｓｋｙの携帯電話で加工画像閲覧のホームページにアクセスした場合には、出力部３２を通じて、加工画像の閲覧が可能となる。またＥＺ−Ｗｅｂの携帯電話で加工画像閲覧のホームページにアクセスした場合、出力部３４を通じて、加工画像の閲覧が可能となる。
【００２０】
これによりユーザーは、サーバーのホームページを通じて、加工画像を自己の携帯電話の待ち受け画面としても取り込むことができる。サーバー側はホームページを通じてユーザーからダウンロードの指令が入るとダウンロード処理部２４が働き、該処理部２４によって、指定された加工画像が待ち受け画面としてユーザーの携帯電話にダウンロードされる。本方式による加工画像サービスシステムの会員であるユーザーに対しては、画像の加工サービスに対してサービス会社から所定の会費及び／又は費用が課金される。
【００２１】
【発明の効果】
本発明は上述の如く構成したので、ユーザーがカメラ付き携帯電話等で作成した画像をユーザーの好みの形態の画像にリアルタイムで加工することができ、ユーザーに携帯電話の待ち受け画面やポスター等として提供することができる。
【図面の簡単な説明】
【図１】本方式のブロック説明図である。
【図２】本方式のブロック説明図である。
【図３】本方式のブロック説明図である。
【図４】本方式のブロック説明図である。
【図５】本方式の説明図である。
【図６】本方式に用いられる画像加工プログラムの機能ブロック説明図である。
【図７】本方式に用いられるデータ変換プログラムの機能ブロック説明図である。
【符号の説明】
２      ユーザー
４      画像加工処理部
６      データ変換処理部
８      インターネット端末
１０    データベース
１２    加工用画像
１４    画像加工部
１６    背景抜き処理部
１８    サイズ加工部
２０    出力部
２１    出力装置
２２    データ変換部
２３    製品
２４    ダウンロード処理部
２６    データベース解析制御部
２８    ＰＣ用画像出力部
３０    ｉ−ｍｏｄｅ（ＮＴＴドコモの登録商標）用画像出力部
３２    Ｊ−ｓｋｙ用画像出力部
３４    ＥＺ−Ｗｅｂ用画像出力部
３６    制御部
３８    サンプル表示画面
４０    サンプル画面
４２    フレーム
４４    決定ボタン
４６    入力画面
４８    画像データ
５０    メールサーバー
５２    画像加工処理
５４    画像
５６    処理
５８    処理
６０    処理
６２    処理
６４    処理
６６    処理
６８    処理
７０    処理
【図１】
2004179827.tif 000003
【図２】
2004179827.tif 000004
【図３】
2004179827.tif 000005
【図４】
2004179827.tif 000006
【図５】
2004179827.tif 000007
【図６】
2004179827.tif 000008
【図７】
2004179827.tif 000009